(57)【要約】【課題】▲１▼冷凍庫内において大きな場所を占有せず、▲２▼手を汚すことなく冷凍された刻み野菜や小物の冷凍食品を希望量だけ的確に且つ迅速に取り出せる冷凍保存用容器を提供すること。【解決手段】刻み野菜や小物の冷凍食品を収容するための冷凍保存容器Ｙであって、容器本体１は、有底の筒体２で形成されていると共にその上部域に上方に向かって先細となる先端先細部３を形成してあり、前記先細形状部３の先端を排出口３２とすると共に前記排出口３２からの冷気の侵入を阻止する栓体を設けてある。【選択図】  図１
2004149220.tif 000002
【特許請求の範囲】
【請求項１】
刻み野菜や小物の冷凍食品を収容するための冷凍保存容器であって、容器本体は、有底の筒体で形成されていると共にその上部域に上方に向かって先細となる先端先細部を形成してあり、前記先細形状部の先端を排出口とすると共に前記排出口からの冷気の侵入を阻止する栓体を設けてあることを特徴とする冷凍保存用容器。
【請求項２】
容器本体は、一つの有底の筒体の上部域に、二つの先細形状部を形成して成り、一方の先細形状部の排出口は大口であり、他方の先細形状部の排出口は小口であり、両方の排出口を使用することにより、刻み野菜や小物の冷凍食品を希望量だけ的確に且つ迅速に取り出せるようにしてあることを特徴とする請求項１記載の冷凍保存用容器。
【請求項３】
容器本体の内壁のうち少なくとも底面部に、凹凸又は突条を設け、前記凹凸又は突条により容器本体の内面と当該容器本体に収容される刻み野菜や小物の冷凍食品との間に空気層が形成されるようにしてあることを特徴とする請求項１又は２記載の冷凍保存用容器。
【請求項４】
容器本体内に有底の筒状網部材を収容してあり、前記筒状網部材により容器本体の内面と当該容器本体に収容される刻み野菜や小物の冷凍食品との間に空気層が形成されるようにしてあることを特徴とする請求項１又は２記載の冷凍保存用容器。
【請求項５】
容器全体が合成樹脂により構成されていることを特徴とする請求項１乃至４記載の冷凍保存用容器。
【請求項６】
筒体は、縦長であることを特徴とする請求項１乃至５のいずれかに記載の冷凍保存用容器。
【発明の詳細な説明】
【０００１】
【発明の属する技術分野】
この発明は、刻み野菜や冷凍食品を冷凍庫内に保存する際の容器（この明細書では、冷凍保存用容器という）に関するものである。
【０００２】
【従来の技術】
めん類その他の料理に刻み葱を用いる場合、ほとんどの主婦は無駄をなくすため購入した全ての葱を刻んでしまい、その結果として料理に必要な量以上に葱を刻むことになる。
【０００３】
したがって、通常、余った刻み葱は、タッパ（比較的浅い収納部とこれの開放部を密閉できる蓋から成る）に収容し、冷凍庫内で保存するようにしている。
【０００４】
ところが、上記の如くタッパは、冷凍庫内において大きな場所を占有すると共に、刻み葱使用時において手で摘んで取り出したりスプーン等で取り出したりしなければならず、使い勝手が良くないという問題があった。なお、この種の問題は、刻み葱のみに生じることではなく刻み野菜であれば同様に生じる。
【０００５】
他方、冷凍食品は袋に収容されているものが多いが、使用量が少なく全てを使い切らなかった場合には、開封部を輪ゴムで縛ったり、特に食品がグリーンピースやコーン（トウモロコシ）のような小物である場合には残りをタッパに入れて冷凍庫内に収容していた。
【０００６】
ところが、上記小物を収容するためにタッパを使用した場合、上述した如く大きな場所を占有し、また使用量に応じて的確な量だけ取り出すのが、面倒であった。
【０００７】
ところで、冷凍保存用容器としてタッパ以外に、容器本体に開口部を有し、開口部の封止を可能にするジッパー又はファスナーが開口部周縁に配され、容器本体がアルミニウムを含む物質で蒸着された材料からなるものがある（例えば、特許文献１。）。
【０００８】
【特許文献１】
特開２００１−５５２４１号公報
しかしながら、この冷凍保存用容器を使用した場合、刻み野菜や小物の冷凍食品を取り出すことが更に困難であり、使い勝手が非常に悪い。
【０００９】
更に、上記したタッパ、ジッパーやファスナーの如く冷凍保存用容器では、葱等の刻み野菜を収容させると、容器の内面に刻み野菜が付着して簡単には取れなくなったり、また、刻み野菜が水分で固まって（氷結して）適量分だけを取り出す際にはバラバラにする作業が必要になってしまう。
【００１０】
近年、この種の容器を製造・販売している業者及び主婦の間では、▲１▼冷凍庫内において大きな場所を占有せず、▲２▼手を汚すことなく冷凍された食品を希望量だけ的確に且つ迅速に取り出せる冷凍保存用容器が開発されることを待ち望んでおり、さらに、上記▲１▼▲２▼に加えて刻み野菜が容器の内面に付着しにくく且つ刻み野菜が氷結しにくい冷凍保存用容器が開発されることを待ち望んでいる。
【００１１】
【発明が解決しようとする課題】
そこで、この発明では、▲１▼冷凍庫内において大きな場所を占有せず、▲２▼手を汚すことなく冷凍された刻み野菜や小物の冷凍食品を希望量だけ的確に且つ迅速に取り出せる冷凍保存用容器を提供することを課題とする。
【００１２】
また、この発明では、▲１▼冷凍庫内において大きな場所を占有せず、▲２▼手を汚すことなく冷凍された刻み野菜や小物の冷凍食品を希望量だけ的確に且つ迅速に取り出せ、▲３▼冷凍された刻み野菜や小物の冷凍食品が容器の内面に付着しにくく且つ氷結しにくい冷凍保存用容器を提供することを課題とする。
【００１３】
【課題を解決するための手段】
（請求項１記載の発明）
この発明は、刻み野菜や小物の冷凍食品を収容するための冷凍保存容器であって、容器本体は、有底の筒体で形成されていると共にその上部域に上方に向かって先細となる先端先細部を形成してあり、前記先細形状部の先端を排出口とすると共に前記排出口からの冷気の侵入を阻止する栓体を設けてある。
【００１４】
（請求項２記載の発明）
この発明の冷凍保存容器は、請求項１記載の発明に関し、容器本体は、一つの有底の筒体の上部域に、二つの先細形状部を形成して成り、一方の先細形状部の排出口は大口であり、他方の先細形状部の排出口は小口であり、両方の排出口を使用することにより、刻み野菜や小物の冷凍食品を希望量だけ的確に且つ迅速に取り出せるようにしてある。
【００１５】
（請求項３記載の発明）
この発明の冷凍保存容器は、請求項１又は２記載の発明に関し、容器本体の内壁のうち少なくとも底面部に、凹凸又は突条を設け、前記凹凸又は突条により容器本体の内面と当該容器本体に収容される刻み野菜や小物の冷凍食品との間に空気層が形成されるようにしてある。
【００１６】
（請求項４記載の発明）
この発明の冷凍保存容器は、請求項１又は２記載の発明に関し、容器本体内に有底の筒状網部材を収容してあり、前記筒状網部材により容器本体の内面と当該容器本体に収容される刻み野菜や小物の冷凍食品との間に空気層が形成されるようにしてある。
【００１７】
（請求項５記載の発明）
この発明の冷凍保存容器は、請求項１乃至４のいずれかに記載の発明に関し、容器全体が合成樹脂により構成されている。
【００１８】
（請求項６記載の発明）
この発明の冷凍保存容器は、請求項１乃至５のいずれかに記載の発明に関し、筒体は、縦長である。
【００１９】
なお、上記発明の冷凍保存用容器の作用・効果については以下の発明の実施の形態の欄で説明する。
【００２０】
【発明の実施の形態】
以下、この発明を実施形態として示した図面に従って説明する。
〔実施形態１〕
図１はこの発明の実施形態１の冷凍保存容器Ｙの斜視図、図２は前記冷凍保存容器Ｙの断面図、図３は実施形態１に類する他の実施形態の冷凍保存容器Ｙの斜視図を示している。
【００２１】
（この冷凍保存容器Ｙの構成について）
この冷凍保存容器Ｙは、基本的には図１や図２に示すように、容器本体１とこれの上部を覆うキャップ４とから構成されている。
【００２２】
容器本体１は、図１や図２に示すように、手で掴みやすい縦長形状の筒体２と、前記筒体２の上部域に螺着された先細形状体３とから構成されている。
【００２３】
筒体２は、図２に示すように、有底の筒状に形成されており、上部域に薄肉部２０を有すると共にその外周面に雄ネジ２１を形成してある。
【００２４】
先細形状体３は、図１や図２に示すように、上端に向かって徐々に先細となるラッパ状部３０と、これの下端に連続する立上がり部３１とを有するものであり、最小径となる上端開放部を排出口３２とすると共に、最大径となる立上がり部３１の下部域内周面に上記雄ネジ２１に螺合される雌ネジ３３を形成してある。また、この先細形状体３では、上記立上がり部３１の雌ネジ３３を形成した位置よりも少し上部を僅かに小径としてキャップ嵌入部３４を形成してある。なお、上記排出口３２の開口面積は、容器本体１に入れる刻み葱、グリーンピースやコーン（トウモロコシ）の大きさに対応させて、すなわち、一度に大量に排出されず且つ少量であれば円滑にでる程度の大きさに設定されている。
【００２５】
キャップ４は、図１や図２に示すように、天井部分に突出部４０を有する略半球殻状のものであり、これの端縁部４１が上記キャップ嵌入部３４に密に外嵌されるようにしてある。そして、このキャップ２を上記キャップ嵌入部３４に完全に嵌め込んだ状態では、図２に示すように、突出部４０により排出口３２が密に閉止される構成としてある。つまり、この実施形態の冷凍保存容器Ｙでは、端縁部４１とキャップ嵌入部３４との嵌め合い、及び突出部４０による排出口３２の閉止により排出口３２からの冷気の侵入を阻止している。
【００２６】
なお、この冷凍保存容器Ｙを構成する部材の全ては、熱伝導率が小さい合成樹脂により形成されている。
【００２７】
（この冷凍保存容器Ｙの機能について）
容器本体１は全体として縦長に形成されているから占有面積が小さく、冷凍庫内において大きな場所を占有せず、冷凍庫内のポケット内に見栄え良く納めることができる。
【００２８】
また、容器本体１に収容された冷凍された刻み葱の刻み野菜、グリーンピースやコーン（トウモロコシ）のような小物の冷凍食品は、キャップ４を外して当該容器１を逆さ又は傾斜させるだけで、手を汚すことなく希望量だけ的確に且つ迅速に取り出せる。したがって、円滑に調理ができることになる。
【００２９】
更に、端縁部４１とキャップ嵌入部３４との嵌め合い、及び突出部４０による排出口３２の閉止により排出口３２からの冷気の侵入を阻止しているので冷凍庫内の冷気が侵入せず、その結果、刻み葱の刻み野菜、グリーンピースやコーン（トウモロコシ）のような小物の冷凍食品に臭い匂いが付いたり、過冷凍を防止することができる。
【００３０】
（実施形態１に類する他の実施形態）
「筒体２」
上記実施形態１では筒体２は有底のものとしてあるが、筒体２は図３に示すように両端開放の筒体２ａにネジにより底蓋２ｂを取り付ける構成としてもよい。この場合、底蓋２ｂを筒体２ａから外して洗浄することにより、綺麗に汚れ等を落とすことができる。
【００３１】
「排出口３２からの冷気の侵入の阻止する手段（栓体）」
上記実施形態１では、端縁部４１とキャップ嵌入部３４との嵌め合い、及び突出部４０による排出口３２の閉止により排出口３２からの冷気の侵入を阻止しているが、どちらか一方のみで排出口３２からの冷気の侵入を阻止する栓体としてもよい。
【００３２】
〔実施形態２〕
図４はこの発明の実施形態２の冷凍保存容器Ｙの斜視図、図５は前記冷凍保存容器Ｙの底蓋２ｂの斜視図、図６は筒状網部材の斜視図を示している。
（この冷凍保存容器Ｙの構成について）
この冷凍保存容器Ｙは、図４に示すように、基本的構成は実施形態１で示したものと同一であるが、両端開放の筒体２ａの内面に縦に延びる突条２３を、底蓋２ｂの底面から突出する碁盤状の突条２４を、それぞれ設けている点、前記筒体２ａの下端部を底蓋２ｂに圧入して結合している点で相違している。つまり、この冷凍保存容器Ｙは筒体２の内面の全てに突条２３，２４が形成されている。
【００３３】
（この冷凍保存容器Ｙの機能について）
この冷凍保存容器Ｙは、実施形態１と同じ機能を有していると共に、さらに以下に示す機能を有している。
【００３４】
冷凍された刻み野菜や小物の冷凍食品が収容された冷凍保存容器Ｙを、冷凍庫に納めた場合、突条２３，２４の存在により、冷凍保存容器Ｙの内壁面と刻み野菜や冷凍食品との間に空気層ができるため、容器の内面に付着しにくく且つ氷結しにくい。したがって、冷凍保存容器Ｙからの刻み野菜等の排出が円滑であり且つ内部に残ることなく全てが排出できる。また、氷結しないので刻み野菜等の鮮度が保てる。
【００３５】
（実施形態２に類する他の実施形態）
「底蓋２ｂ」
上記実施形態２では底蓋２ｂの内面に碁盤状の突条２４を設けてあるが、これにかえて突起２５を設けるようにしてもよい。
【００３６】
「突条２３，２４又は突起２５にかわる手段」
上記実施形態２では、筒体２の内壁面に突条２３，２４又は突起２５を設けるようにしてあるが、これにかえて、実施形態１の筒体２内に図６に示すような有底の筒状網部材５（樹脂製）を挿入するようにしても、同等の機能を有するものとなる。この構成を採用した場合、筒状網部材５は筒体２から取り出せるので洗浄が非常に容易になる。
【００３７】
〔実施形態３〕
図７はこの発明の実施形態３の冷凍保存容器Ｙの正面図、図２は前記冷凍保存容器Ｙの平面図を示している。
（この冷凍保存容器Ｙの構成について）
この冷凍保存容器Ｙでは、容器本体１は、図７や図８に示すように、一つの平面視小判状に形成された有底の筒体２の上部域に、二つの先細形状部３，３’を形成して成り、一方の先細形状部３の排出口３２は大口であり、他方の先細形状部３’の排出口３２’は小口であるものとしてある。そして、上記排出口３２，３２’をそれぞれキャップ４，４’（キャップ４，４’が一体となったものでもよい）で覆うことにより、冷気が排出口３２，３２’から侵入するのを阻止してある。
【００３８】
したがって、この冷凍保存容器Ｙでは、両方の排出口３２，３２’を使用することにより、刻み野菜や小物の冷凍食品を希望量だけ的確に且つ迅速に取り出せることになる。
【００３９】
なお、この実施形態３の冷凍保存容器Ｙにおいて、上記実施形態２で採用した突条２３，２４、突起２５や筒状網部材５を使用することもできる。
【００４０】
〔その他〕
容器本体１を構成する筒体２、先細径状体３、筒状網部材５、突条２３，２４、突起２５、排出口３２は、上記実施形態の形態に限定されず、公知の形態は全て採用できる。
【００４１】
また、キャップ４についても、上記実施形態の形態に限定されず、公知の形態は全て採用できる。
【００４２】
【発明の効果】
この発明は、上記のような構成であるから次の効果を有する。
（請求項１乃至３のいずれかに記載の発明の効果）
発明の実施の形態の欄から明らかなように、▲１▼冷凍庫内において大きな場所を占有せず、▲２▼手を汚すことなく冷凍された刻み野菜や小物の冷凍食品を希望量だけ的確に且つ迅速に取り出せる冷凍保存用容器を提供できた。
【００４３】
（請求項４乃至７のいずれかに記載の発明の効果）
発明の実施の形態の欄から明らかなように、▲１▼冷凍庫内において大きな場所を占有せず、▲２▼手を汚すことなく冷凍された刻み野菜や小物の冷凍食品を希望量だけ的確に且つ迅速に取り出せ、▲３▼冷凍された刻み野菜や小物の冷凍食品が容器の内面に付着しにくく且つ氷結しにくい冷凍保存用容器を提供できた。
【図面の簡単な説明】
【図１】この発明の実施形態１の冷凍保存容器の斜視図。
【図２】前記冷凍保存容器の断面図。
【図３】前期実施形態１に類する他の実施形態の冷凍保存容器の斜視図。
【図４】この発明の実施形態２の冷凍保存容器の斜視図。
【図５】前記実施形態２に類する他の実施形態の底蓋の斜視図。
【図６】筒状網部材の斜視図。
【図７】この発明の実施形態３の冷凍保存容器の正面図。
【図８】図７に示した冷凍保存容器の平面図
【符号の説明】
Ｙ      冷凍保存容器
１      容器本体
２      筒体
２ａ    筒体
２ｂ    底蓋
３      先細形状体
４      キャップ
５      筒状網部材
２３    突条
２４    突条
２５    突起
３２    排出口
【図１】
2004149220.tif 000003
【図２】
2004149220.tif 000004
【図３】
2004149220.tif 000005
【図４】
2004149220.tif 000006
【図５】
2004149220.tif 000007
【図６】
2004149220.tif 000008
【図７】
2004149220.tif 000009
【図８】
2004149220.tif 000010